(57)【要約】      （修正有）【課題】良い保護作用とし、表面の汚れ、傷跡や損壊の発生を防止する電子製品の保護シート構造の提供。【解決手段】電子製品の保護シート構造は、外面及び内面を有する皮革層と、前記皮革層の内表面に結合される裏接着層とを含み、これによって、該保護シート構造は、電子製品に貼り付けられ、良い保護作用を提供できるため、電子製品が良い外観を維持でき、さらに電子製品の表面が汚され、或いは電子素子が損壊されることを防止でき、また、使用者が保護シートを介して機器を操作すると気軽さが増加でき、電子製品の価値感及び使用性が向上できる。【選択図】図１
0003139519.tif 000002
【実用新案登録請求の範囲】
【請求項１】
外面及び内面を有する皮革層と、
前記皮革層の内表面に結合される裏接着層とを含む、
電子製品の保護シート構造。
【請求項２】
前記皮革層は未加工面であることを特徴とする請求項１記載の電子製品の保護シート構造。
【請求項３】
前記皮革層の外面にはパターンが設けられ、該パターンは文字または模様であることを特徴とする請求項１記載の電子製品の保護シート構造。
【請求項４】
前記裏接着層は繰り返して貼付可能な接着剤であることを特徴とする請求項１記載の電子製品の保護シート構造。
【請求項５】
前記裏接着層は前記皮革層の内面全体或いは前記皮革層の内面の一部に被覆されることを特徴とする請求項１記載の電子製品の保護シート構造。
【考案の詳細な説明】
【技術分野】
【０００１】
本考案は、保護シート構造に関わり、特に、電子製品に貼り付けられ電子製品を保護するため保護シート構造に関するものである。
【背景技術】
【０００２】
ノートブック型パソコンや、デジタルカメラ、携帯電話、GPS(Global Positioning System)、MP3/MP4、ゲーム機(Portable Media Player)及びPDA等の電子製品は、携帯便利の特性があるため、人々に広く愛用されている。しかし、前記電子製品は、使用または携帯の過程では、異物に接触し易く、電子製品の表面を汚したり、傷跡や損壊までになってしまい、電子製品の外観が厳しく影響され、電子製品内部の電子素子の損壊をもたらす可能性もある。
【０００３】
そのため、本考案者は、前記欠点が改良できるのを感心して、長年以来この領域で積み立てた経験により、専念な観察かつ研究をし、さらに学術理論の運用に合せ、やっと合理な設計且つ前記の欠点を有効に改良できた本考案を提案した。
【考案の開示】
【考案が解決しようとする課題】
【０００４】
本考案の主な目的は、電子製品に貼り付けられ、良い保護作用を提供でき、電子製品の表面が汚され、傷跡や損壊が発生されることを避け、電子製品が良い外観を維持でき、さらに電子製品内部の電子素子の損壊を防止でき、電子製品の価値感が向上でき、また、使用者の操作の気軽さを考えると、皮革を用いて外層構造とする電子製品の保護シート構造を提供することにある。
【０００５】
前記目的を達成するため、本考案は、外面及び内面を有する皮革層と、前記皮革層の内表面に結合される裏接着層とを含む電子製品の保護シート構造を提供する。
【課題を解決するための手段】
【０００６】
請求項１の考案は、外面及び内面を有する皮革層と、
前記皮革層の内表面に結合される裏接着層とを含む、
電子製品の保護シート構造としている。
請求項２の考案は、前記皮革層は未加工面であることを特徴とする請求項１記載の電子製品の保護シート構造としている。
請求項３の考案は、前記皮革層の外面にはパターンが設けられ、該パターンは文字または模様であることを特徴とする請求項１記載の電子製品の保護シート構造としている。
請求項４の考案は、前記裏接着層は繰り返して貼付可能な接着剤であることを特徴とする請求項１記載の電子製品の保護シート構造としている。
請求項５の考案は、前記裏接着層は前記皮革層の内面全体或いは前記皮革層の内面の一部に被覆されることを特徴とする請求項１記載の電子製品の保護シート構造としている。
【考案の効果】
【０００７】
本考案の保護シート構造は、電子製品に貼り付けられ、電子製品には使用及び携帯する過程において、ともに良い保護作用を提供できることによって、異物が電子製品の表面に直接的に接触しないように遮断し、電子製品の表面が汚され、傷跡や損壊が発生されることを回避できるため、電子製品が良い外観を維持でき、さらに電子製品内部の電子素子の損壊を防止でき、かつ、本考案の皮革層は電子製品の質感及び視覚効果を向上でき、使用者の操作の気軽さを増加させ、電子製品の価値感及び使用性が向上できる。
【考案を実施するための最良の形態】
【０００８】
図１〜図３を参照すると、本考案は、電子製品の保護シート構造を提供し、該保護シート構造が、ノートブック型パソコンや、デジタルカメラ、携帯電話、またはPDA等の携帯式電子製品に貼り付けることができ、該保護シート構造は皮革層１及び裏接着層２を含み、該皮革層１は皮革材料で作製され、その外形は電子製品及び貼付位置の違いに応じて異なる形状に設けられ、本実施例では、該皮革層１は長方形である。
【０００９】
該皮革層１の対向する両面は、それぞれ外面１１および内面１２である。該皮革層１は未加工面であってもよいが、皮革層１の外面に、エンボス加工、印刷または穴あけ等の方式でパターン１３を形成してもよい、該パターン１３の形式が限られず、様々な文字や模様等であればよい、広告及び装飾美観の効果を提供できる。
【００１０】
該裏接着層２は、該皮革層１の内面１２に結合され、該裏接着層２は、繰り返して貼付可能な接着剤で、該裏接着層２の形状は皮革層１に対応し、該裏接着層２を該皮革層１の内面１２全体に被覆でき、また、該皮革層１の内面１２の一部にしか被覆できなくてもよい、以上のようにして本考案の電子製品の保護シート構造を形成する。
【００１１】
本考案の電子製品の保護シート構造は、該裏接着層２でノートブック型パソコン３の上蓋３１の表面に貼り付けることができ（図４に示すように）、ノートブック型パソコン３のキーボード３２の表面に貼り付けてもよい（図５に示すように）、該保護シート構造は、該ノートブック型パソコン３及び貼付位置の違いに応じて異なる形状に設けられる。本考案の保護シート構造は、該裏接着層２でPDA４のケース４１の表面に貼り付けてもよい（図６に示すように）。
【００１２】
本考案の保護シート構造は、ノートブック型パソコンや、デジタルカメラ、携帯電話、GPS、MP3/MP4、ゲーム機及びPDA等の電子製品に貼り付けることができ、前記電子製品には使用または携帯の過程において、ともによい保護作用を提供でき、異物が電子製品の表面に直接的に接触しないように遮断し、電子製品の表面が汚され、傷跡や損壊が発生されることを回避できるため、電子製品が良い外観を維持でき、さらに電子製品内部の電子素子の損壊を防止できる。
【００１３】
さらに、本考案の皮革層１及びパターン１３は、電子製品の質感及び視覚効果を向上でき、使用者の操作の気軽さを増加させ、電子製品の価値感及び使用性が大幅に向上できる。
【図面の簡単な説明】
【００１４】
【図１】本考案の保護シート構造の斜視分解図である。
【図２】本考案の保護シート構造の斜視組合図である。
【図３】本考案の保護シート構造の断面図である。
【図４】本考案の保護シート構造の使用状態を示す図（一）である。
【図５】本考案の保護シート構造の使用状態を示す図（二）である。
【図６】本考案の保護シート構造の使用状態を示す図（三）である。
【符号の説明】
【００１５】
１  皮革層
１１  外面
１２  内面
１３  パターン
２  裏接着層
３  ノートブック型パソコン
３１  上蓋
３２  キーボード
４  PDA
４１  ケース
【図１】
0003139519.tif 000003
【図２】
0003139519.tif 000004
【図３】
0003139519.tif 000005
【図４】
0003139519.tif 000006
【図５】
0003139519.tif 000007
【図６】
0003139519.tif 000008